(57)【特許請求の範囲】
【請求項１】
被記録媒体の一方の表面に対向して配され前記被記録媒体に含まれる蛍光増白剤が吸収する波長帯域の光成分を含む光ビームを照射する第１の発光素子と、前記蛍光増白剤が吸収する波長帯域以外の光成分を含む光ビームを照射する第２の発光素子と、該被記録媒体の他方の表面に対向して配され前記蛍光増白剤が吸収する波長帯域の光成分を含む光ビームを照射する第３の発光素子と、
前記被記録媒体の一方の表面に対向して配され前記第１の発光素子または第２の発光素子から照射され前記被記録媒体の一方の表面に対し反射された光ビームを検出する第１の受光素子と、前記被記録媒体の他方の表面に対向して配され前記第１の発光素子から照射され該被記録媒体を透過した光ビームまたは前記第３の発光素子から照射され前記被記録媒体の他方の表面に対し反射された光ビームを検出する第２の受光素子とを備える検出部と、
前記検出部からの前記被記録媒体の透過性をあらわす検出出力の値と該被記録媒体の種類に応じた所定の判別用閾値とを比較し比較出力を送出する第１の比較部と、
前記検出部からの前記被記録媒体の光沢性をあらわす検出出力の値と該被記録媒体の種類に応じた所定の判別用閾値とを比較し比較出力を送出する第２の比較部と、
前記検出部からの被記録媒体の表面の蛍光強度特性をあらわす検出出力の値と該被記録媒体の種類に応じた所定の判別用閾値とを比較し比較出力を送出する第３の比較部と、
前記第１の比較部、前記第２の比較部、および前記第３の比較部からのそれぞれの比較出力に基づいて前記被記録媒体の種類を判別し判別出力を送出する判別部と、
を具備して構成される被記録媒体の種類の判別装置。
【請求項２】
被記録媒体の一方の表面に対向して配され前記被記録媒体に含まれる蛍光増白剤が吸収する波長帯域の光成分を含む光ビームを照射する第１の発光素子と、前記蛍光増白剤が吸収する波長帯域以外の光成分を含む光ビームを照射する第２の発光素子と、
前記被記録媒体の一方の表面に対向して配され前記第１の発光素子から照射され前記被記録媒体の一方の表面に対し反射された光ビームを検出する第１の受光素子と、前記被記録媒体の一方の表面に対向して配され前記第２の発光素子から照射され前記被記録媒体の一方の表面に対し反射された光ビームを検出する第２の受光素子と、前記被記録媒体の他方の表面に対向して配され前記第２の発光素子から照射され前記被記録媒体を透過した光ビームを検出する第３の受光素子とを備える検出部と、
前記検出部からの前記被記録媒体の透過性をあらわす検出出力の値と該被記録媒体の種類に応じた所定の判別用閾値とを比較し比較出力を送出する第１の比較部と、
前記検出部からの前記被記録媒体の光沢性をあらわす検出出力の値と該被記録媒体の種類に応じた所定の判別用閾値とを比較し比較出力を送出する第２の比較部と、
前記検出部からの被記録媒体の表面の蛍光強度特性をあらわす検出出力の値と該被記録媒体の種類に応じた所定の判別用閾値とを比較し比較出力を送出する第３の比較部と、
前記第１の比較部、前記第２の比較部、および前記第３の比較部からのそれぞれの比較出力に基づいて前記被記録媒体の種類を判別し判別出力を送出する判別部と、
を具備して構成される被記録媒体の種類の判別装置。
【請求項３】
被記録媒体に含まれる蛍光増白剤が吸収する波長帯域の光成分を含む光ビームを照射する発光素子と、該発光素子から照射され前記被記録媒体の表面に対し反射された光ビームの散乱光を検出する第１の受光素子と、該第１の発光素子から照射され前記被記録媒体の表面に対し反射された光ビームの正反射光を検出する第２の受光素子とがそれぞれ、該被記録媒体の双方の表面に対向して配された検出部と、
前記検出部からの前記被記録媒体の透過性をあらわす検出出力の値と該被記録媒体の種類に応じた所定の判別用閾値とを比較し比較出力を送出する第１の比較部と、
前記検出部からの前記被記録媒体の光沢性をあらわす検出出力の値と該被記録媒体の種類に応じた所定の判別用閾値とを比較し比較出力を送出する第２の比較部と、
前記検出部からの被記録媒体の表面の蛍光強度特性をあらわす検出出力の値と該被記録媒体の種類に応じた所定の判別用閾値とを比較し比較出力を送出する第３の比較部と、
前記第１の比較部、前記第２の比較部、および前記第３の比較部からのそれぞれの比較出力に基づいて前記被記録媒体の種類を判別し判別出力を送出する判別部と、
を具備して構成される被記録媒体の種類の判別装置。
【請求項４】
被記録媒体の一方の表面に対向して配され前記被記録媒体に含まれる蛍光増白剤が吸収する波長帯域の光成分を含む光ビームを照射する第１の発光素子と、前記蛍光増白剤が吸収する波長帯域以外の光成分を含む光ビームを照射する第２の発光素子と、前記被記録媒体の一方の表面に対向して配され前記第１の発光素子または前記第２の発光素子から照射され前記被記録媒体の一方の表面に対し反射された光ビームを検出する第１の受光素子と、前記被記録媒体の他方の表面に対向して配され前記第１の発光素子から照射され該被記録媒体を透過した光ビームを検出する第２の受光素子とを備える検出部と、
前記検出部からの前記被記録媒体の透過性をあらわす検出出力の値と該被記録媒体の種類に応じた所定の判別用閾値とを比較し比較出力を送出する第１の比較部と、
前記検出部からの前記被記録媒体の光沢性をあらわす検出出力の値と該被記録媒体の種類に応じた所定の判別用閾値とを比較し比較出力を送出する第２の比較部と、
前記検出部からの被記録媒体の表面の蛍光強度特性をあらわす検出出力の値と該被記録媒体の種類に応じた所定の判別用閾値とを比較し比較出力を送出する第３の比較部と、
前記第１の比較部、前記第２の比較部、および前記第３の比較部からのそれぞれの比較出力に基づいて前記被記録媒体の種類を判別し判別出力を送出する判別部と、
を具備して構成される被記録媒体の種類の判別装置。
【請求項５】
被記録媒体の一方の表面に対向して配され前記被記録媒体に含まれる蛍光増白剤が吸収する波長帯域の光成分を含む光ビームを照射する第１の発光素子と、前記蛍光増白剤が吸収する波長帯域以外の光成分を含む光ビームを照射する第２の発光素子と、前記被記録媒体の一方の表面に対向して配され前記第１の発光素子または前記第２の発光素子から照射され前記被記録媒体の一方の表面に対し反射された光ビームを検出する第１の受光素子と、前記被記録媒体の他方の表面に対向して配され前記第２の発光素子から照射され該被記録媒体を透過した光ビームを検出する第２の受光素子とを備える検出部と、
前記検出部からの前記被記録媒体の透過性をあらわす検出出力の値と該被記録媒体の種類に応じた所定の判別用閾値とを比較し比較出力を送出する第１の比較部と、
前記検出部からの前記被記録媒体の光沢性をあらわす検出出力の値と該被記録媒体の種類に応じた所定の判別用閾値とを比較し比較出力を送出する第２の比較部と、
前記検出部からの被記録媒体の表面の蛍光強度特性をあらわす検出出力の値と該被記録媒体の種類に応じた所定の判別用閾値とを比較し比較出力を送出する第３の比較部と、
前記第１の比較部、前記第２の比較部、および前記第３の比較部からのそれぞれの比較出力に基づいて前記被記録媒体の種類を判別し判別出力を送出する判別部と、
を具備して構成される被記録媒体の種類の判別装置。
【請求項６】
請求項１乃至請求項５のいずれかに記載の被記録媒体の種類の判別装置と、
前記被記録媒体の記録面に対し記録動作を行う記録部と、
前記記録部の記録動作を制御する記録動作制御部と、
前記判別装置からの判別出力に基づいて前記記録部により記録されるべき被記録媒体の種類と前記記録部の記録動作状態に応じて設定された被記録媒体の種類とが一致するか否かを判断する被記録媒体識別部と、を備え、
前記被記録媒体識別部が被記録媒体の種類と前記設定された被記録媒体の種類とが一致しないと判断する場合、前記記録動作制御部が前記記録部の記録動作を禁止することを特徴とする画像形成装置。
【請求項７】
請求項１乃至請求項５のいずれかに記載の被記録媒体の種類の判別装置と、
被記録媒体の記録面に対し記録動作を行う記録部と、
前記記録部の記録動作を制御する記録動作制御部と、を備え、
前記記録動作制御部が、前記判別装置からの判別出力に基づいて被記録媒体の種類に応じた記録モードで被記録媒体の記録面に対し記録動作を行うことを特徴とする画像形成装置。
【発明の詳細な説明】
【０００１】
【発明の属する技術分野】
本発明は、複数種類の被記録媒体をそれぞれ判別することができる被記録媒体の種類の判別装置、および、画像形成装置に関する。
【０００２】
【従来の技術】
着色されたトナーやインクを被記録媒体の記録面に付着させて画像形成を行う電子写真方式、熱転写方式、ワイヤードット方式、インクジェット方式等の画像形成装置においては、画質が被記録媒体にも依存するところが大きいので画像形成を開始する前に選択された被記録媒体に適した画像形成モードにより画像形成が行われている。
【０００３】
また、選択された被記録媒体に適した画像形成モードを設定するために画像形成装置内にセットされた被記録媒体の種類を自動的に判別する方法が種々提案されている。
【０００４】
例えば、被記録媒体の透過性または非透過性などの性質によって被記録媒体の種類を自動判別する方法が提案されている。この方法は、被記録媒体の搬送路中に反射型光学センサと透過型光学センサとがそれぞれ別個に設けられ、反射型光学センサからの検出出力に基づいて非透過性の被記録媒体、例えば、普通紙が判別され、透過型光学センサからの検出出力に基づいて透過性のＯＨＰ（ｏｖｅｒｈｅａｄ  ｐｒｏｊｅｃｔｏｒ）用シート（以下、ＯＨＰシートという）が判別されるようにしたものである。
【０００５】
また、被記録媒体の記録面における表裏の判別にあたっては、例えば、特開平６−１５８６１号公報にも示されるように、被記録媒体の記録面における表裏の光沢性を互いに変化させた被記録媒体が用いられるもとで被記録媒体の表裏判別を行うことが提案されている。
【０００６】
さらに、普通紙とＯＨＰシートとを判別する方法としては、例えば、特開平２−５６３７５号公報および特開平６−５６３１３号公報にも示されるように、照射される検出用光ビームに対する被記録媒体の反射特性の相違、即ち、ＯＨＰシートの表面に対してのその検出用光ビームの乱反射が普通紙の表面に対しての乱反射に比し小であることが利用されている。このような場合、被記録媒体の記録面の一方側に対し検出光ビームを照射する光源（発光素子）と、複数の受光素子とがそれぞれ、その記録面からの正反射光、および、乱反射光をそれぞれ受け得るように配置されているものとされる。このような構成において、記録面からの正反射光が強度が大である場合、ＯＨＰシートであると判定され、一方、記録面からの乱反射光の強度が大である場合、普通紙であると判定される。
【０００７】
また、例えば、特開平６−５６３１３号公報にも示されるように、透過型および反射型光学センサを用いて、被記録媒体を挟んで相対向して一対の受光素子が配されるとともに、検出用光ビームを照射する光源が被記録媒体の記録面の一方側に配されるもとで、光源に対し被記録媒体を挟んで配される一方の受光素子が被記録媒体により遮断されることによって、検出出力を送出しない場合は、その被記録媒体が普通紙であると判定され、また、他方の受光素子が検出出力を送出するとき、ＯＨＰシートであると判定される。
【０００８】
さらに、例えば、特開平１０−１９８１７４号公報にも示されるように、検出用光ビームを照射する光源と、被記録媒体の表面からの検出用光ビームの反射光を受ける受光素子とが、その検出用光ビームの光路がその表面に対し所定の入射角度および反射角度となるように配置されるものが提案されている。かかる構成において、その受光素子が受けた検出用光ビームの正反射光における強度の相違により普通紙またはＯＨＰシートであるかが判定される。
【０００９】
なお、上述以外の被記録媒体の自動判別方法としては、例えば、特開平７−６９４８１号公報にも示されるように、被記録媒体の静電容量の変化を特徴付けて判別する方法、および、特開平８−２５９０３８号公報にも示されるように、被記録媒体の剛性を特徴付けて判別する方法などの新しい提案がなされている。
【００１０】
別の被記録媒体の自動判別方法としては、例えば、特開平６−２０１４１２号公報および特開平１１−０００９９０号公報にも示されるように、被記録媒体の一部に被記録媒体固有の識別子を持たせるもとで、その識別子が光学的手法などで読み取られることにより、その被記録媒体が自動判別される方法が提案されている。
【００１１】
【発明が解決しようとする課題】
しかしながら、上述したように、被記録媒体の自動判別方法の多くは、非透過性ある普通紙と透過性であるＯＨＰシートとを判別する判別方法の提案であり、普通紙とコート紙との判別、光沢紙と光沢フィルムとの判別のように、多種多様な被記録媒体を適切に自動判別するのは難しいのが現状である。
【００１２】
即ち、特開平６−１５８６１号公報に示される方法においては、予め被記録媒体の表裏の光沢性が互いに異なっている必要があるので、その表裏の光沢性が互いに異なる被記録媒体のみに限定される。
【００１３】
また、特開平２−５６３７５号公報および特開平６−５６３１３号公報にそれぞれ示される方法は、その検出用光ビームの正反射光の強度が弱いもの同士である普通紙とコート紙との相互の判別、その検出用光ビームの正反射光の強度が強いもの同士である光沢紙と光沢フィルムとの相互の判別するのは極めて困難である。
【００１４】
このような場合、各受光素子から得られる信号のレベルと比較の基準となる、判別するための信号レベルの閾値が複数設定されて判別することも考えられるが、普通紙またはコート紙といっても多種あり、その中で任意の異なる種類の被記録媒体を判別するための閾値が設定された場合においても、その閾値を互いに超える信号レベルが得られる同一種類の被記録媒体が複数存在するので判別した結果の判別精度は著しく低下することとなる。
【００１５】
従って、従来技術である透過性と非透過性との違いによる判別方法により被記録媒体が判別される場合、被記録媒体は、ＯＨＰシートとＯＨＰシート以外の被記録媒体とに判別され、また、光沢性と非光沢性との違いによる判別方法により被記録媒体が判別される場合、被記録媒体は、光沢紙、光沢フィルムおよびＯＨＰシートと、普通紙およびコート紙とに判別されることとなる。
【００１６】
また、この透過性と光沢性とを判別する従来技術を複合させることにより、判別できる被記録媒体の種類は、ＯＨＰシートと、光沢性の被記録媒体（光沢紙および光沢フィルム）と、非光沢性の被記録媒体（普通紙およびコート紙）との３分類が限界となる。
【００１７】
特開平１０−１９８１７４号公報に示される方法においては、被記録媒体が給紙カセットに入っている状態において最上部にある普通紙とＯＨＰシートとの判別方法を提案しているので当然ながらそれ以外の被記録媒体の判別には無理があることとなる。
【００１８】
以上の問題点を考慮し、本発明は、複数種類の被記録媒体をそれぞれ判別することができる被記録媒体の種類の判別装置、および画像形成装置であって、普通紙、コート紙、光沢紙、光沢フィルム、ＯＨＰシートなどの多種多様な被記録媒体を適切かつ精度よく自動判別できる被記録媒体の種類の判別装置、および、画像形成装置を提供することを目的とする。
【００１９】
【課題を解決するための手段】
上述の目的を達成するために、本発明に係る被記録媒体の種類の判別装置は、被記録媒体の一方の表面に対向して配され被記録媒体に含まれる蛍光増白剤が吸収する波長帯域の光成分を含む光ビームを照射する第１の発光素子と、蛍光増白剤が吸収する波長帯域以外の光成分を含む光ビームを照射する第２の発光素子と、被記録媒体の他方の表面に対向して配され蛍光増白剤が吸収する波長帯域の光成分を含む光ビームを照射する第３の発光素子と、被記録媒体の一方の表面に対向して配され第１の発光素子または第２の発光素子から照射され被記録媒体の一方の表面に対し反射された光ビームを検出する第１の受光素子と、被記録媒体の他方の表面に対向して配され第１の発光素子から照射され被記録媒体を透過した光ビームまたは第３の発光素子から照射され被記録媒体の他方の表面に対し反射された光ビームを検出する第２の受光素子とを備える検出部と、検出部からの被記録媒体の透過性をあらわす検出出力の値と被記録媒体の種類に応じた所定の判別用閾値とを比較し比較出力を送出する第１の比較部と、検出部からの被記録媒体の光沢性をあらわす検出出力の値と被記録媒体の種類に応じた所定の判別用閾値とを比較し比較出力を送出する第２の比較部と、検出部からの被記録媒体の表面の蛍光強度特性をあらわす検出出力の値と被記録媒体の種類に応じた所定の判別用閾値とを比較し比較出力を送出する第３の比較部と、第１の比較部、第２の比較部、および第３の比較部からのそれぞれの比較出力に基づいて被記録媒体の種類を判別し判別出力を送出する判別部と、を備えて構成される。
【００２０】
また、本発明に係る被記録媒体の種類の判別装置は、被記録媒体の一方の表面に対向して配され被記録媒体に含まれる蛍光増白剤が吸収する波長帯域の光成分を含む光ビームを照射する第１の発光素子と、蛍光増白剤が吸収する波長帯域以外の光成分を含む光ビームを照射する第２の発光素子と、被記録媒体の一方の表面に対向して配され第１の発光素子から照射され被記録媒体の一方の表面に対し反射された光ビームを検出する第１の受光素子と、被記録媒体の一方の表面に対向して配され第２の発光素子から照射され被記録媒体の一方の表面に対し反射された光ビームを検出する第２の受光素子と、被記録媒体の他方の表面に対向して配され第２の発光素子から照射され被記録媒体を透過した光ビームを検出する第３の受光素子とを備える検出部と、検出部からの被記録媒体の透過性をあらわす検出出力の値と被記録媒体の種類に応じた所定の判別用閾値とを比較し比較出力を送出する第１の比較部と、検出部からの被記録媒体の光沢性をあらわす検出出力の値と被記録媒体の種類に応じた所定の判別用閾値とを比較し比較出力を送出する第２の比較部と、検出部からの被記録媒体の表面の蛍光強度特性をあらわす検出出力の値と被記録媒体の種類に応じた所定の判別用閾値とを比較し比較出力を送出する第３の比較部と、第１の比較部、第２の比較部、および第３の比較部からのそれぞれの比較出力に基づいて被記録媒体の種類を判別し判別出力を送出する判別部と、を備えて構成される。
【００２１】
本発明に係る画像形成装置は、上述の被記録媒体の種類の判別装置と、被記録媒体の記録面に対し記録動作を行う記録部と、記録部の記録動作を制御する記録動作制御部と、判別装置からの判別出力に基づいて記録部により記録されるべき被記録媒体の種類と記録部の記録動作状態に応じて設定された被記録媒体の種類とが一致するか否かを判断する被記録媒体識別部と、を備え、被記録媒体識別部が被記録媒体の種類と設定された被記録媒体の種類とが一致しないと判断する場合、記録動作制御部が前記記録部の記録動作を禁止することを特徴とする。
【００２２】
また、本発明に係る画像形成装置は、上述の被記録媒体の種類の判別装置と、被記録媒体の記録面に対し記録動作を行う記録部と、記録部の記録動作を制御する記録動作制御部と、を備え、記録動作制御部が、判別装置からの判別出力に基づいて被記録媒体の種類に応じた記録モードで被記録媒体の記録面に対し記録動作を行うことを特徴とする。
【００２３】
【発明の実施の形態】
図１は、本発明に係る被記録媒体の種類の判別装置の第１実施例の構成を、それを備える画像形成装置としてのインクジェット記録装置の制御ブロックとともに示す。
【００２４】
図１において、インクジェット記録装置は、後述する各被記録媒体の記録面（以下、表面とも言う）に対して所定のインクを吐出し付着させて記録動作を行う記録ヘッド部４６と、供給される画像データおよび記録動作制御データに基づいて記録ヘッド部４６の記録動作を制御する記録動作制御部４４と、被記録媒体を記録ヘッド部４６のインク吐出部に対し断続的に搬送する搬送系、記録動作制御部４４を含む記録系、および、後述する判別装置などの制御を行うメイン制御部３８とを含んで構成されている。
【００２５】
メイン制御部３８には、制御信号に基づき各データを格納し選択的に送出するメモリ部４２が接続されている。メモリ部４２は、メイン制御部３８が行う動作制御に関する動作プログラムデータ、被記録媒体の記録面に形成される画像をあらわす画像データ、装置に装備される各被記録媒体の種類と後述する各判定出力との対応関係がマップ化されて表されるデータ等を格納している。
【００２６】
装置に選択的に装備される各被記録媒体の種類と後述する各判定出力との対応関係は、例えば、図３に示されるように、後述する比較出力部からの被記録媒体の光沢性の有無等をあらわす各比較出力と、それに該当する普通紙、コート紙、光沢紙、光沢フィルム、ＯＨＰシート、被記録媒体の有無などの分類との対応関係であらわされる。従って、本発明の一例においては、５種類の被記録媒体が分類Ａ，Ｂ，Ｃ，Ｄ，Ｅとして判定され、かつ、分類Ｆとしての被記録媒体の有無が判定される。
【００２７】
その際、各被記録媒体の判別に利用される蛍光発光についての特徴として、普通紙は、蛍光発光強度がその表裏において互いに略同一となることである。なお、普通紙では蛍光増白剤を内添したものとしていないものがあり蛍光発光強度も強弱まちまちである。その蛍光発光強度は、被記録媒体に含まれる蛍光増白剤の可視光の放射能力に応じたものとされる。
【００２８】
蛍光増白剤は、自然光や蛍光灯などに含まれる近紫外光を吸収して青色の可視光を放射することにより、被記録媒体の黄みの状態に青みを付加して白色度を増している。蛍光増白剤を内添させている理由としては、被記録媒体を構成している材料の黄みを帯びた状態を補色である青み付けをすることによって無彩色である白さを強調するためである。
【００２９】
蛍光増白剤の特性の一例を挙げるならば、蛍光増白剤ＵＶＩＴＥＸ  ＯＢ（チバ・スペシャリティ・ケミカルズ社製）は、近紫外光を最大吸収波長３７５ｎｍで吸収して、可視光を最大放射波長４３５ｎｍで放射する物質である。
【００３０】
次に、コート紙は、通常、画像が形成される記録面にのみ積層されるコート層に蛍光増白剤を内添させることにより、コート紙自体の白色度を増している。そのためコート紙のベースとなる紙の蛍光発光強度とコート層との相互間においては、蛍光発光強度が互いに異なっていることがコート紙の特徴である。また、光沢紙も、コート紙と同様な特徴がある。
【００３１】
光沢フィルムにおいては、基材のベースフィルム自体が非透過性の白色フィルムでなければならないので、ポリエチレンテレフタレートを代表とするフィルムに酸化チタン、酸化亜鉛、硫酸バリウム、炭酸カルシウムなどの白色顔料を練り込んでおり、さらに、白色度を高めるために蛍光増白剤が添加されているものもある。なお、インクジェット記録装置用としては、このベースフィルム上に記録材を受容する樹脂層がさらに設けられている。このような光沢フィルムは、その表裏において、蛍光発光強度が、コート層による光学的な影響により若干の相互差はあるもののほぼ同一であることが特徴である。
【００３２】
ＯＨＰシートは、ハロゲンランプ光などを照射して使用するため蛍光増白剤の添加はされず、よって蛍光発光がないのが特徴である。
【００３３】
従って、後述するように、被記録媒体の表裏相互間での蛍光発光強度差をひとつの分類基準にすることで、蛍光発光強度差がほとんどない被記録媒体は、普通紙、光沢フィルム、ＯＨＰシートであり、蛍光発光強度差があるものはコート紙、光沢紙とに分類できることとなる。
【００３４】
また、メイン制御部３８には、双方向伝送路に設けられる通信部４８を介してホストコンピュータ５０に接続されている。ホストコンピュータ５０は、各被記録媒体の記録面に形成されるべき画像をあらわす画像データを形成し、それを所定量ごと所定のタイミングで通信部４８を介してメイン制御部３８に供給する。また、ホストコンピュータ５０は、インクジェット記録装置の動作制御を行うために必要な制御データ群を通信部４８を介してメイン制御部３８に供給する。
【００３５】
ホストコンピュータ５０には、インクジェット記録装置の動作状態をあらわす表示を示すモニタ５２が接続されている。モニタ５２は、例えば、ＣＲＴまたは液晶表示画面とされる。
【００３６】
この判別装置における検出部は、例えば、図１および図２に示されるように、インクジェット記録装置内における搬送路に配される被記録媒体１０の記録面１０ａ（表面）に対向して配され検出用光ビームをその記録面に対し照射する発光素子１２と、発光素子１２から照射され記録面１０ａから反射された光ビーム１２ＬＲａ，１２ＬＲｂをそれぞれ受光する受光素子１４および１６と、被記録媒体１０を挟んで受光素子１６に対向して裏面１０ｂ側に配される受光素子１８とを含んで構成されている。
【００３７】
発光素子１２は、例えば、ピーク発光波長が３７０ｎｍである紫外線発光ＬＥＤ（ＮＳＨＵ５９０Ｅ；日亜化学工業社製）とされ、受光素子１４、受光素子１６、および、受光素子１８は、それぞれ、シリコンフォトトランジスタ（ＫＳ８５３；新光電子社製）とされる。
【００３８】
発光素子１２は、その光ビーム１２Ｌの被記録媒体１０の記録面１０ａに対する入射角βが約４５°で記録面１０ａから約１０ｍｍ離隔するように配置されている。
【００３９】
なお、紫外光発光素子として近年注目を浴びているのが窒化ガリウム系などの半導体素子である。駆動回路および素子の小型化、また素子の寿命、発光強度の安定性などを考慮した場合、発光波長が３００ｎｍから４２５ｎｍを発光する、特に蛍光増白剤の最大吸収波長である３７５ｎｍ付近を発光する窒化ガリウム系などの半導体素子でもよい。
【００４０】
また、発光素子は、蛍光増白剤の吸収波長を発光する発光素子であれば、いずれでも適用可能である。例えば、発光波長が２５４ｎｍ付近のいわゆる殺菌灯や、発光波長が３００から４００ｎｍ付近の捕虫器用蛍光ランプ、もしくはケミカルランプや、水銀ランプから発生する特有な波長を持つ近紫外光の波長３００から４５０ｎｍを特殊設計の紫外線フィルターで取り出したブラックライトなどが挙げられる。しかし、殺菌ランプなどは人体に影響を及ぼす波長であること、また蛍光増白剤の最大吸収波長付近ではないことからあまり好ましくはない。
【００４１】
反射光の蛍光成分を検出する受光素子１４は、被記録媒体の記録面１０ａに対し直交する直線（法線）上に、被記録媒体の記録面１０ａとの相互間距離が約１０ｍｍとなるように記録面１０ａ側に配置されている。被記録媒体の光沢性をあらわす正反射光を検出する受光素子１６は、記録面１０ａに対して光ビーム１２Ｌの入射角βに略等しい反射角で反射された光ビーム１２ＬＲｂを受光するように、即ち、発光素子１２からの反射された光ビーム１２ＬＲｂ（正反射光）が検出できる方向にあり、記録面１０ａとの相互間距離が約１０ｍｍになる位置に配置されている。
【００４２】
一方、被記録媒体の透過性を検出する受光素子１８は、入射角βで被記録媒体１０の記録面１０ａに入射し裏面１０ｂ側に透過した光ビーム１２ＬＲｃを受光するように、即ち、発光素子１８の透過光が測定できる方向に、裏面１０ｂとの相互間距離が１０ｍｍになるように裏面１０ｂ側に配置されている。
【００４３】
なお、受光素子は、上述したような発光素子の発光波長域に分光感度特性がある受光素子であるもの、および蛍光増白剤の放射波長域を受光する分光感度特性を有しているものであれば、いずれも適用可能である。受光素子は、例えば、シリコンフォトダイオード、シリコンフォトトランジスタなどの半導体素子であってもよい。
【００４４】
また、受光素子１４、１６、および、１８には、それぞれ、図２に示されるように、所謂、ダーリントン回路からなる出力部が設けられている。なお、図２においては、その出力部は受光素子１４、１６、および、１８について同一の構成とされるので受光素子１８についての出力部のみ示し、他の出力部については省略される。
【００４５】
出力部において、受光素子１８におけるコレクタ側がトランジスタ（Ｃ１８１５）２４のベースに接続され、受光素子１８におけるエミッタ側が接地されている。トランジスタ２４のコレクタは、例えば、１０（ｖ）の直流電圧を供給する基準電圧源Ｖａの端子３２に接続されている。トランジスタ２４のエミッタは、トランジスタ２６のベースに接続されている。トランジスタ２６のコレクタは、基準電圧源Ｖａの端子３２に接続され、また、トランジスタ２６のエミッタは、抵抗２８（約１ｋΩ）を介して接地されている。さらに、トランジスタ２６のエミッタの電圧を出力する出力端子３０がトランジスタ２６のエミッタと抵抗２８との間の接続点に接続されている。
【００４６】
発光素子１２には、発光素子駆動部３６が接続されている。発光素子駆動部３６は、メイン制御部３８からの制御信号Ｃｄに基づいて発光素子１２を作動状態とする。これにより、約２ｍＡの電流が発光素子１２に流され、それが作動状態とされる。
【００４７】
さらに、上述の受光素子１４、１６、および、１８の各出力部には、出力端子３０からの信号に対し所定のディジタル変換処理を行う信号処理部３４が接続されている。信号処理部３４は、各受光素子１４〜１８からの検出出力をあらわす各データを比較出力部４０に供給する。
【００４８】
比較出力部４０の各比較部４０Ｂ，および４０Ｃ、および後述する演算部４０Ｅには、信号処理部３４からの各受光素子１６、１８の出力をあらわす各データがそれぞれ、所定のタイミングで供給される。比較部４０Ａには、信号処理部３４からの一つの被記録媒体１０の表裏面についての各データ相互間の出力電圧差を算出する演算部４０Ｅが接続されている。比較部４０Ａは、演算部４０Ｅからの算出結果をあらわすデータとその差の所定の閾値をあらわす基準データとを比較し比較出力を送出する。
【００４９】
また、比較部４０Ｂは、受光素子１６の出力をあらわすデータと所定の閾値をあらわす基準データとを比較し比較出力を送出する。さらに、比較部４０Ｃは、受光素子１８の出力をあらわすデータと所定の閾値をあらわす基準データとを比較し比較出力を送出する。
【００５０】
また、比較出力部４０は、各比較部４０Ａ，４０Ｂ，および４０Ｃにおける所定の閾値をあらわす基準データを設定する設定部４０Ｄを備えている。設定部４０Ｄは、例えば、各比較部４０Ａ，４０Ｂ，および４０Ｃにおける所定の閾値を、それぞれ、±０.５（Ｖ）、５（Ｖ）、５（Ｖ）に設定する。
【００５１】
さらに、各比較部４０Ａ，４０Ｂ，および４０Ｃには、各比較出力をメイン制御部３８に各被記録媒体ごとに選択的に送出するデータ選択送出部４０Sが接続されている。
【００５２】
このような構成において、比較出力部４０は、被記録媒体１０の判別にあたり、例えば、図４に示されるように、判別される各被記録媒体１０の表面１０ａおよび裏面１０ｂについて発光素子１２からの光ビームが照射される場合、それぞれ、各受光素子１４、１６、および１８の出力部から出力電圧（Ｖ）が得られるとき、先ず、比較部４０Ｃは、受光素子１８に対応する信号処理部３４からのデータに基づき閾値５（Ｖ）と比較する。比較部４０Ｃは、５（Ｖ）以上である８.２（Ｖ）の出力が得られるとき、透過性があることをあらわす比較出力を送出する。一方、比較部４０Ｃは、５（Ｖ）未満である０．６〜０．８（Ｖ）の出力であるとき、透過性がないことをあらわす比較出力を送出する。
【００５３】
次に、比較部４０Ｂは、受光素子１６に対応する信号処理部３４からのデータに基づき閾値５（Ｖ）と比較する。比較部４０Ｂは、５（Ｖ）以上である６．５〜７．０（Ｖ）の出力が得られるとき、光沢性があることをあらわす比較出力を送出する。一方、比較部４０Ｂは、５（Ｖ）未満である３．７〜４．０（Ｖ）の出力であるとき、光沢性がないことをあらわす比較出力を送出する。
【００５４】
続いて、比較部４０Ａは、演算部４０Ｅからのデータ相互間の出力電圧差に基づき閾値±０.５（Ｖ）と比較し±０.５（Ｖ）以上である０.９〜１.０（Ｖ）の出力が得られるとき、表裏相互間において蛍光強度差があることをあらわす比較出力を送出する。一方、比較部４０Ａは、±０.５（Ｖ）未満である−０．１〜０．１（Ｖ）の出力であるとき、表裏相互間において蛍光強度差がないことをあらわす比較出力を送出する。
【００５５】
データ選択送出部４０Sは、メイン制御部３８からのデータ要求信号に基づき各比較出力をメイン制御部３８に送出する。
【００５６】
従って、５種類の被記録媒体を判別するにあたり、メイン制御部３８は、データ選択送出部４０Sからの各比較出力に基づいて図３に示されるような、データを参照し、例えば、透過性があることをあらわす比較出力、光沢性があることをあらわす比較出力、および、蛍光強度差がないことをあらわす比較出力であるとき、被記録媒体１０がＯＨＰシートである（分類Ｅ）と判断することとなる。
【００５７】
また、メイン制御部３８は、例えば、透過性があることをあらわす比較出力、光沢性がないことをあらわす比較出力、および、蛍光強度差がないことをあらわす比較出力であるとき、被記録媒体１０が装填されていない状態である（分類Ｆ）と判断する。
【００５８】
続いて、ＯＨＰシートが分別された後、メイン制御部３８は、他の被記録媒体１０について、例えば、透過性がないことをあらわす比較出力、光沢性があることをあらわす比較出力、および、蛍光強度差がないことをあらわす比較出力であるとき、被記録媒体１０が光沢フィルムである（分類Ｅ）と判断することとなる。
【００５９】
続いて、ＯＨＰシートおよび光沢フィルムが分別された後、メイン制御部３８は、他の被記録媒体１０について、例えば、透過性がないことをあらわす比較出力、光沢性があることをあらわす比較出力、および、蛍光強度差があることをあらわす比較出力であるとき、被記録媒体１０が光沢紙である（分類Ｃ）と判断することとなる。
【００６０】
続いて、ＯＨＰシート、光沢フィルムおよび光沢紙が分別された後、メイン制御部３８は、他の被記録媒体１０について、例えば、透過性がないことをあらわす比較出力、光沢性がないことをあらわす比較出力、および、蛍光強度差があることをあらわす比較出力であるとき、被記録媒体１０がコート紙である（分類Ｂ）と判断することとなる。その際、メイン制御部３８は、残りの被記録媒体１０が普通紙（分類Ａ）であると判断することとなる。
【００６１】
従って、少なくとも比較部４０Ｃおよび比較部４０Ｂからの比較出力により、ＯＨＰシートとそれ以外の被記録媒体または被記録媒体の存在しないことを判別することができる。
【００６２】
次に、残りの４品種について、比較部４０Ｃおよび比較部４０Ｂの比較出力により、光沢紙および光沢フィルムの群と、普通紙およびコート紙の群とに判別することができる。
【００６３】
そして、比較部４０Ｃ、比較部４０Ｂ、および、比較部４０Ａの比較出力により、さらに、普通紙および光沢フィルムの群、コート紙および光沢紙の群に判別することができる。
【００６４】
これにより、ＯＨＰシートを除く後者２つの分類結果により、普通紙（ＰＢ：キヤノン社製）、コート紙（ＨＲ１０１：キヤノン社製）、光沢紙（ＧＰ３０１：キヤノン社製）、光沢フィルム（ＨＧ１０１：キヤノン社製）を判別することができ、結果として、普通紙、コート紙、光沢紙、光沢フィルム、ＯＨＰシートの５品種の判別ができる。
【００６５】
上述の比較部４０およびメイン制御部３８は、例えば、マイクロコンピュータにより構成されるが、かかるマイクロコンピュータが実行するプログラムの一例を、図５に示されるフローチャートを参照して説明する。
【００６６】
図５において、スタート後、ステップＳ１において、判別対象となる被記録媒体１０の表裏について検出された各データをそれぞれ取込み、ステップＳ２に進み、表裏相互間の蛍光強度差を算出し、続くステップＳ３において、受光素子１８からの出力電圧に基づくデータＤｃと閾値５（Ｖ）とを比較し、データＤｃが閾値５（Ｖ）未満をあらわす場合、ステップＳ４に進み、受光素子１６からの出力電圧に基づくデータＤｂと閾値５（Ｖ）とを比較し、データＤｂが閾値５（Ｖ）未満をあらわす場合、続くステップＳ５に進む。ステップＳ５において、受光素子１６からの出力電圧に基づく蛍光強度差をあらわすデータＤａと閾値±０.５（Ｖ）とを比較し、データＤａが閾値±０.５（Ｖ）未満である場合、続くステップＳ６に進み、被記録媒体１０が普通紙であることをあらわす判定出力Ａを送出し、また、データＤａが閾値±０.５（Ｖ）以上である場合、被記録媒体１０がコート紙であることをあらわす判定出力Ｂを送出し、プログラムを終了する。
【００６７】
さらに、ステップＳ３において、データＤｃが閾値５（Ｖ）以上をあらわす場合、ステップＳ７に進み、受光素子１６からの出力電圧に基づくデータＤｂと閾値５（Ｖ）とを比較し、データＤｂが閾値５（Ｖ）以上をあらわす場合、続くステップＳ９において、被記録媒体１０がＯＨＰシートであることをあらわす判定出力Ｅを送出し、あるいは、データＤｂが閾値５（Ｖ）未満をあらわす場合、ステップＳ８に進み、被記録媒体が装着されていない状態であることをあらわす判定出力Ｆを送出し、プログラムを終了する。
【００６８】
そして、ステップＳ４において、データＤｂが閾値５（Ｖ）以上をあらわす場合、続くステップＳ１０において、データＤａが閾値±０.５（Ｖ）以上である場合、ステップＳ１２に進み、被記録媒体１０が光沢紙であることをあらわす判定出力Ｃを送出し、あるいは、データＤａが閾値±０.５（Ｖ）未満である場合、続くステップ１１において、被記録媒体１０が光沢フィルムであることをあらわす判定出力Ｄを送出し、プログラムを終了する。
【００６９】
図６は、本発明に係る被記録媒体の種類の判別装置の第２実施例の構成を、それを備える画像形成装置としてのインクジェット記録装置の制御ブロックとともに示す。なお、図６においては、図１に示される例において同一とされる構成要素については同一の符号を付して示し、その重複説明を省略する。
【００７０】
図６において、インクジェット記録装置は、後述する各被記録媒体の記録面（以下、表面とも言う）に対して所定のインクを吐出し付着させて記録動作を行う記録ヘッド部４６と、供給される画像データおよび記録動作制御データに基づいて記録ヘッド部４６の記録動作を制御する記録動作制御部４４と、被記録媒体を記録ヘッド部４６のインク吐出部に対し断続的に搬送する搬送系、記録動作制御部４４を含む記録系、および、後述する判別装置および表示部などの制御を行うメイン制御部７０とを含んで構成されている。
【００７１】
メイン制御部７０には、制御信号に基づき各データを格納し選択的に送出するメモリ部７２が接続されている。メモリ部７２は、メイン制御部７０が行う動作制御に関する動作プログラムデータ、被記録媒体の記録面に形成される画像をあらわす画像データ、本装置に装備される各被記録媒体の種類と後述する各判定出力との対応関係がマップ化されて表されるデータ、印刷モードデータ等を格納している。
【００７２】
装置に選択的に装備される各被記録媒体の種類と後述する各判定出力との対応関係は、例えば、上述した図３に示されるように、後述する被記録媒体の種類判別部からの被記録媒体の光沢性の有無等をあらわす各判定出力と、それに該当する普通紙、コート紙、光沢紙、光沢フィルム、ＯＨＰシート、被記録媒体の有無などの分類であらわされる。従って、本実施例においても、５種類の被記録媒体が分類Ａ，Ｂ，Ｃ，Ｄ，Ｅとして判定され、かつ、分類Ｆとしての被記録媒体の有無が判定される。
【００７３】
また、メイン制御部７０には、双方向伝送路に設けられる通信部８６を介してホストコンピュータ８４に接続されている。メイン制御部７０には、比較出力部７８からの比較出力群が供給されるとともに、ホストコンピュータ８４からの各被記録媒体の記録面に形成されるべき画像をあらわす画像データ、インクジェット記録装置の動作制御を行うために必要な制御データ群、印刷にあたり予め入力される被記録媒体の種類をあらわすデータを通信部８６を介して供給される。
【００７４】
さらに、メイン制御部７０には、表示制御部８０を介して装填された被記録媒体の種類とホストコンピュータ８４に入力された被記録媒体の種類のデータとが一致しない旨の警告等をあらわす表示を行う表示部８２が接続されている。
【００７５】
ホストコンピュータ８４は、後述するメイン制御部７０からの装着された各被記録媒体の種類（分類Ａ〜Ｅ）をあらわすデータに基づいて選択した印刷モードデータを通信部８４を介してメイン制御部７０に供給する画像モード選択部８４Ｇを有している。画像モード選択部８４Ｇは、装填される各被記録媒体の種類に合致した記録ヘッド部４６の所定の印刷モードを複数の印刷モードからメイン制御部７０からの被記録媒体をあらわすデータに基づいて選択するものとされる。各印刷モードは、例えば、各被記録媒体に対する印刷に適切な記録ヘッド部の搬送速度、および、インク吐出量に基づいて設定されている。
【００７６】
ホストコンピュータ８４には、ホストコンピュータ８４からの表示データに基づいてインクジェット記録装置の動作状態をあらわす表示を示すモニタ５２が接続されている。モニタ５２は、例えば、ＣＲＴまたは液晶表示画面とされる。
【００７７】
判別装置における検出部は、例えば、図６および図７に示されるように、例えば、インクジェット記録装置内における搬送路に配される被記録媒体１０の記録面１０ａ（表面）に対向して配され検出用光ビームをその記録面に対し照射する発光素子６０および６２と、発光素子６０または発光素子６２から照射され記録面１０ａから反射された光ビーム６０Ｌ，または光ビーム６２Ｌをそれぞれ受光する受光素子６４と、被記録媒体１０を挟んで発光素子６２に対向して裏面１０ｂ側に配される発光素子６８と、被記録媒体１０を挟んで受光素子６４に対向して裏面１０ｂ側に配される受光素子６６とを含んで構成されている。
【００７８】
発光素子６０は、例えば、ピーク波長が６６０ｎｍである高輝度赤色ＬＥＤ（ＢＲ５３６４Ｘ；スタンレー社製）とされ、発光素子６２および６８は、ピーク発光波長が３７０ｎｍである紫外線発光ＬＥＤ（ＮＳＨＵ５９０Ｅ；日亜化学工業社製）とされ、受光素子６４および受光素子６６は、それぞれ、紫外線波長帯域から可視線波長帯域までの光ビームを検出可能なシリコンフォトトランジスタ（ＫＳ８５３；新光電子社製）とされる。
【００７９】
発光素子６０は、その光ビーム６０Ｌの被記録媒体１０の記録面１０ａに対する入射角βが約４５°で記録面１０ａから約１０ｍｍ離隔するように配置されている。発光素子６２は、被記録媒体の記録面１０ａに対し直交する直線（法線）上に、被記録媒体の記録面１０ａとの相互間距離が約１０ｍｍとなるように記録面１０ａ側に配置されている。
【００８０】
反射光の蛍光成分または被記録媒体の光沢性をあらわす正反射光を検出する受光素子６４は、記録面１０ａに対して光ビーム６０Ｌの入射角βに略等しい反射角で反射された光ビーム６０Ｌ、または発光素子６２から照射され反射した光ビームを受光するように、記録面１０ａとの相互間距離が約１０ｍｍになる位置に配置されている。
【００８１】
一方、被記録媒体１０の透過性または反射光の蛍光成分を検出する受光素子６６は、入射角βで被記録媒体１０の記録面１０ａに入射し裏面１０ｂ側に透過した光ビーム６０Ｌ、または発光素子６８から照射され反射した光ビームを受光するように、裏面１０ｂとの相互間距離が１０ｍｍになるように裏面１０ｂ側に配置されている。
また、受光素子６４、および、６６には、それぞれ、図７に示されるように、所謂、ダーリントン回路からなる出力部が設けられている。
【００８２】
発光素子６０、６２および６８には、それぞれ、発光素子駆動部７４が接続されている。発光素子駆動部７４は、メイン制御部７０からの制御信号Ｃｄ１、Ｃｄ２、およびＣｄ３に基づいて発光素子６０、６２、および６８を所定のタイミングで作動状態とする。
【００８３】
さらに、上述の受光素子６４、および、６６の各出力部には、出力端子３０からの信号に対し所定のディジタル変換処理を行う信号処理部７６が接続されている。信号処理部７６は、受光素子６４および６６からの検出出力をあらわす各データを比較出力部７８に供給する。
【００８４】
比較出力部７８の各比較部７８Ｂ，および７８Ｃ、および後述する演算部７８Ｅには、信号処理部７６からの各受光素子６４、６６の出力をあらわす各データがそれぞれ、所定のタイミングで供給される。
【００８５】
比較部７８Ａには、信号処理部７６からの一つの被記録媒体１０の表裏面について受光素子６４および６６の出力に基づく各データ相互間の出力電圧差を算出する演算部７８Ｅが接続されている。比較部７８Ａは、演算部７８Ｅからの算出結果をあらわすデータとその差の所定の閾値をあらわす基準データとを比較し比較出力を送出する。
【００８６】
また、比較部７８Ｂは、受光素子６４の出力をあらわすデータと所定の閾値をあらわす基準データとを比較し比較出力を送出する。さらに、比較部７８Ｃは、受光素子６６の出力をあらわすデータと所定の閾値をあらわす基準データとを比較し比較出力を送出する。
【００８７】
また、比較出力部７８は、各比較部７８Ａ，７８Ｂ，および７８Ｃにおける所定の閾値をあらわす基準データを設定する設定部７８Ｄを備えている。設定部７８Ｄは、例えば、各比較部７８Ａ，７８Ｂ，および７８Ｃにおける所定の閾値を、それぞれ、±０.５（Ｖ）、５（Ｖ）、５（Ｖ）に設定する。
【００８８】
さらに、各比較部７８Ａ，７８Ｂ，および７８Ｃには、各比較出力をメイン制御部７０に各被記録媒体ごとに選択的に送出するデータ選択送出部７８Ｓが接続されている。
【００８９】
このような構成において、比較出力部７８は、５種類の被記録媒体１０の判別にあたり、例えば、判別される各被記録媒体１０の表面１０ａおよび裏面１０ｂについて発光素子駆動部７４からの駆動信号Ｃｄ１に基づいて発光素子６０からの光ビームのみが照射される場合、それぞれ、図８に示されるように、各受光素子６４、および６６の出力部から出力電圧（Ｖ）が得られるとき、先ず、比較部７８Ｃは、受光素子６６に対応する信号処理部７６からのデータに基づき閾値５（Ｖ）と比較し、出力電圧が５（Ｖ）以上である８.５（Ｖ）の出力が得られるとき、透過性があることをあらわす比較出力を送出する。一方、比較部７８Ｃは、いずれかの出力が５（Ｖ）未満である０.５〜０.８（Ｖ）の出力であるとき、透過性がないことをあらわす比較出力を送出する。
【００９０】
次に、比較部７８Ｂは、受光素子６４に対応する信号処理部７６からのデータに基づき閾値５（Ｖ）と比較し、５（Ｖ）以上である６.６〜７.１（Ｖ）の出力が得られるとき、光沢性があることをあらわす比較出力を送出する。一方、比較部７８Ｂは、５（Ｖ）未満である３.５〜３.９（Ｖ）の出力であるとき、光沢性がないことをあらわす比較出力を送出する。
【００９１】
続いて、駆動信号Ｃｄ１に代えて発光素子駆動部７４からの駆動信号Ｃｄ２に基づいて発光素子６２からの光ビーム６２Ｌのみが照射された後、駆動信号Ｃｄ２に代えて、駆動信号Ｃｄ３に基づいて発光素子６８からの光ビーム６８Ｌのみが照射される。これにより、受光素子６４および６６は、それぞれ、発光素子６２からの光ビーム６２Ｌ、発光素子６８からの光ビーム６８Ｌを受光することとなる。信号処理部７６は、光ビーム６２Ｌおよび光ビーム６８Ｌに基づいて変換処理を行い、それらを演算部７８Ｅに供給する。
【００９２】
その際、比較部７８Ａは、演算部７８Ｅからのデータ相互間の出力電圧差に基づき閾値±０.５（Ｖ）と比較し、±０.５（Ｖ）以上である１.１〜１.３（Ｖ）の出力が得られるとき、その表裏相互間において蛍光強度差があることをあらわす比較出力を送出する。一方、比較部７８Ａは、±０.５（Ｖ）未満である−０．１〜０.２（Ｖ）の出力であるとき、表裏相互間において蛍光強度差がないことをあらわす比較出力を送出する。データ選択送出部７８Ｅは、メイン制御部７０からのデータ要求信号に基づき得られた比較出力をメイン制御部７０に供給する。
【００９３】
従って、メイン制御部７０は、データ選択送出部７８Ｅからの各比較出力に基づいて図３に示されるような、データを参照し、例えば、透過性があることをあらわす比較出力、光沢性があることをあらわす比較出力、および、蛍光強度差がないことをあらわす比較出力であるとき、被記録媒体１０がＯＨＰシートである（分類Ｅ）と判断することとなる。
【００９４】
また、メイン制御部７０は、例えば、透過性があることをあらわす比較出力、光沢性がないことをあらわす比較出力、および、蛍光強度差がないことをあらわす比較出力であるとき、被記録媒体１０が装填されていない状態である（分類Ｆ）と判断する。
【００９５】
続いて、ＯＨＰシートが分別された後、メイン制御部７０は、他の被記録媒体１０について、例えば、透過性がないことをあらわす比較出力、光沢性があることをあらわす比較出力、および、蛍光強度差がないことをあらわす比較出力であるとき、被記録媒体１０が光沢フィルムである（分類Ｅ）と判断することとなる。
【００９６】
続いて、ＯＨＰシートおよび光沢フィルムが分別された後、メイン制御部７０は、他の被記録媒体１０について、例えば、透過性がないことをあらわす比較出力、光沢性があることをあらわす比較出力、および、蛍光強度差があることをあらわす比較出力であるとき、被記録媒体１０が光沢紙である（分類Ｃ）と判断することとなる。
【００９７】
続いて、ＯＨＰシート、光沢フィルムおよび光沢紙が分別された後、メイン制御部７０は、他の被記録媒体１０について、例えば、透過性がないことをあらわす比較出力、光沢性がないことをあらわす比較出力、および、蛍光強度差があることをあらわす比較出力であるとき、被記録媒体１０がコート紙である（分類Ｂ）と判断することとなる。その際、メイン制御部７０は、残りの被記録媒体１０が普通紙（分類Ａ）であると判断することとなる。
【００９８】
従って、先ず、比較部７８Ｃの比較出力により、透過性を判別することにより、ＯＨＰシートとそれ以外の被記録媒体とが分別されることとなる。また、その光沢性を判別する比較部７８Ｂの比較出力により、光沢紙および光沢フィルムの群、普通紙およびコート紙の群に分別される。次に、比較部７８Ａの比較出力により、普通紙および光沢フィルムの群、コート紙および光沢紙の群とに分別される。
【００９９】
ＯＨＰシートを除く後者２つの分類結果により、普通紙、コート紙、光沢紙、光沢フィルムを判別することができ、結果として、上述の例と同様に、普通紙、コート紙、光沢紙、光沢フィルム、ＯＨＰシートの５品種の判別ができることとなる。
【０１００】
さらに、メイン制御部７０は、比較出力部７８からの比較出力に基づく判定結果とホストコンピュータ８４からの選択的に入力された被記録媒体の種類のデータとが一致しない場合、記録動作制御部４４に印刷中止をあらわす制御信号を送出し、また、表示部８２に、例えば、印刷中止の警告を表示させるべく制御信号を表示制御部８０に供給する。これにより、図９に示されるように、比較出力部７８からの比較出力に基づく判定結果と、ホストコンピュータ８４からの選択的に入力された被記録媒体の種類とが一致しないすべての場合において、表示部８２により警告表示が行われることとなる。
【０１０１】
従って、比較出力部７８により、実際に装着されている被記録媒体の種類が適切に判別され、ユーザーが選択した被記録媒体と異なる被記録媒体が誤って装着されるもとで適さない画像形成モードによる印刷が行われないように警告表示されることとなる。
【０１０２】
その結果、１台のインクジェット記録装置がデータバスラインを介して複数のホストコンピュータを介して共用化されている場合等において、印刷開始前に印刷中止の表示に応じて不具合をユーザに情報として伝達できるので有効な警告表示システムが可能となる。
【０１０３】
そして、メイン制御部７０は、比較出力部７８からの比較出力に基づく判定結果をあらわすデータを通信部８６を介してホストコンピュータ８４に供給する。
【０１０４】
ホストコンピュータ８４は、被記録媒体の種類が選択的に入力されていない場合、その画像モード選択部８４Ｇは、比較出力部７８からの比較出力に基づく判定結果をあらわすデータに基づいて各被記録媒体の種類に合致した記録ヘッド部４６の所定の印刷モードを複数の印刷モードから選択する。従って、例えば、スタンドアローンとされるホストコンピュータによる制御が行われるインクジェット記録装置において、適切な画像形成モードを自動的に選択するシステムが可能となる。
【０１０５】
なお、本願の発明者の実験による検証によれば、普通紙、コート紙、光沢紙、光沢フィルム、ＯＨＰフィルムを給紙してサンプル画像を印刷する命令を実施したところ、いずれの被記録媒体においても適切な画像形成が行えていることが確認された。
【０１０６】
図１０は、図７に示される例に対する比較例を用いて上述のように被記録媒体の判別を行った場合における受光素子６４および６６の出力部の端子電圧値をそれぞれ示す。その比較例は、実施例２において、被記録媒体に内添されている蛍光増白剤の吸収波長域を発光する発光素子を用いたかった場合の例である。
【０１０７】
なお、比較例においては、発光素子６２および６８を、それぞれ発光素子６０と同じピーク波長が６６０ｎｍである高輝度赤色ＬＥＤ（ＢＲ５３６４Ｘ；スタンレー製）である発光素子６０’および６０”に代替して、他の構成を実施例２と同一とし、同様に受光素子６４および６６の出力値を測定した。
【０１０８】
５種類の被記録媒体を判別するにあたり、先ず、透過性を判別するために、発光素子６０が点灯されるとき、比較部７８Ｃは、受光素子６６に対応する信号処理部７６からのデータに基づき閾値５（Ｖ）と比較し、出力電圧が５（Ｖ）以上である８.５（Ｖ）の出力が得られるとき、透過性があることをあらわす比較出力を送出する。これにより、判別対象となる被記録媒体の種類は、ＯＨＰシートとそれ以外の被記録媒体とに分別された。
【０１０９】
また、このときの光沢性を判別するために、発光素子６０が点灯される状態で比較部７８Ｂは、受光素子６４に対応する信号処理部７６からのデータに基づき閾値５（Ｖ）と比較し、出力電圧が５（Ｖ）以上である６.６〜７.１（Ｖ）の出力が得られるとき、光沢性があることをあらわす比較出力を送出する。
【０１１０】
これにより、その被記録媒体の種類は、ＯＨＰシートを除く光沢紙および光沢フィルムの群と、普通紙およびコート紙の群とに分別される。
【０１１１】
次に、発光素子６０が消灯され、発光素子６０’が点灯される状態で受光素子６４により検出され、続いて、発光素子６０’が消灯され、発光素子６０”が点灯される状態で受光素子６６により検出される。比較部７８Ａは、そのデータ相互間の出力電圧差に基づき閾値±０.５（Ｖ）と比較し、±０.５（Ｖ）未満である−０．２〜０.３（Ｖ）の出力であるとき、表裏相互間において蛍光強度差がないことをあらわす比較出力を送出する。
【０１１２】
従って、この２つの受光素子６４、６６からの出力電圧に基づく差は、どの被記録媒体においてもほとんど同じであったのでその被記録媒体の種類は、ＯＨＰシートと、光沢紙および光沢フィルムの群、普通紙およびコート紙の群に分別されるが、これ以上の細分類はできなかった。
【０１１３】
比較例の結果から明らかなように、被記録媒体に内添されている蛍光増白剤の吸収波長域を発光する発光素子が用いられない場合、細分類が困難とされるのに対し、本発明の一例においては、被記録媒体の表裏相互間における蛍光発光成分の強度の違いにより、被記録媒体の種類を細分類することが可能となる。
【０１１４】
図１１〜図２２は、それぞれ、本発明に係る被記録媒体の種類の判別装置の一例に用いられる検出部の他の例を示す。なお、図１１に示される例および後述する例においては、上述の図２および図７に示される例において同一とされる構成要素について同一の符号を付して示し、その重複説明を省略する。
【０１１５】
図１１は、本発明に係る被記録媒体の種類の判別装置の一例に用いられる検出部の第３実施例を示す。なお、図１１に示される例および後述する例においては、各受光素子は、上述の例と同様な出力部に電気的に接続されている。
【０１１６】
上述したように、蛍光発光の測定に寄与しない光沢性と非光沢性、および／または透過性と非透過性の判別において使用される発光素子は、蛍光増白剤の吸収波長域以外である可視波長域や赤外波長域の光ビームを被記録媒体１０に対し照射する発光素子９０を図１１に示されるように配置し用いることも可能である。
【０１１７】
図１１に示される例においては、発光素子９０が、照射する光ビームの入射点が発光素子１２からの光ビームの入射点と一致しない離隔した位置であって記録面１０ａに対し垂直線上（被記録媒体１０の法線上）となるように配置されている。また、発光素子９０に隣接して受光素子１６が記録面１０ａ側に設けられている。さらに、受光素子１８が被記録媒体１０を挟んで発光素子９０に対向して配されている。この場合、光沢性を判別するにあたり、発光素子による正反射成分や透過光が精度よく測定される。
【０１１８】
図１２は、本発明に係る被記録媒体の種類の判別装置の一例に用いられる検出部の第４実施例を示す。
【０１１９】
図１２に示される例においては、図１１の例とは異なり、発光素子９０と受光素子１６とが互いに離隔した位置に設けられる。また、受光素子１８が発光素子１２からの光ビームが被記録媒体１０を介して検出可能に配置されている。
【０１２０】
図１３は、本発明に係る被記録媒体の種類の判別装置の一例に用いられる検出部の第５実施例を示す。
【０１２１】
図１３に示される例は、図１１と図１２の変形例である。
【０１２２】
図１４は、本発明に係る被記録媒体の種類の判別装置の一例に用いられる検出部の第６実施例を示す。
【０１２３】
図１４に示される例においては、図２に示される例において、受光素子１６に代えて、可視線帯域から紫外線帯域まで検出可能な受光素子９２が配され
加えて、図１４において、被記録媒体を対称軸線として対称に裏面１０ｂ側にも発光素子１２’,受光素子１４’および９２’が配されている。発光素子１２’,受光素子１４’および９２’は、それぞれ、発光素子１２,受光素子１４および９２と同様な構造を有するものとされる。従って、被記録媒体の表裏の状態が略同時に検出される構成となる。
【０１２４】
図１５は、本発明に係る被記録媒体の種類の判別装置の一例に用いられる検出部の第７実施例を示す。
【０１２５】
図１５に示される例は、被記録媒体の表裏の状態が略同時に検出される構成となるようにした上述の図１１に示される例の変形例である。なお、発光素子１２’および９０’と、受光素子１４’および１６’とは、発光素子１２および９０と、受光素子１４および１６と同様な構造とされる。
【０１２６】
図１６は、本発明に係る被記録媒体の種類の判別装置の一例に用いられる検出部の第８実施例を示す。
【０１２７】
図１６に示される例も、被記録媒体１０の表裏の状態が略同時に検出される構成となるようにした上述の図１１に示される例の変形例である。なお、発光素子１２’および９０’と、受光素子１４’および１６’とは、発光素子１２および９０と、受光素子１４および１６と同様な構造とされる。
【０１２８】
図１７は、本発明に係る被記録媒体の種類の判別装置の一例に用いられる検出部の第９実施例を示す。
【０１２９】
図１７に示される例は、その受光素子の員数を図１１および図１２に示される例の受光素子の員数に比べて１個減らしたものとされる。受光素子９４は、発光素子１２から照射された光ビームの正反射光を検出可能される位置に配されている。受光素子９４は、可視線帯域から紫外線帯域まで検出可能とされる。受光素子１８は、発光素子１２から照射された光ビームが被記録媒体１０を透過した光ビームを検出可能される位置に配されている。
【０１３０】
従って、発光素子の部品数を増やす一方で受光素子の部品数を少なくした例とされる。
【０１３１】
図１８は、本発明に係る被記録媒体の種類の判別装置の一例に用いられる検出部の第１０実施例を示す。
【０１３２】
図１８に示される例は、図１７に示される例の変形例であり、受光素子１８が、発光素子９０から照射され被記録媒体１０を透過した光ビームを検出するように配置されるものとされる。
【０１３３】
図１９は、本発明に係る被記録媒体の種類の判別装置の一例に用いられる検出部の第１１実施例を示す。
【０１３４】
図１９に示される例は、図１７に示される例において被記録媒体１０の表裏の状態が略同時に検出される構成となるようにした上述の図１７に示される例の変形例である。被記録媒体１０を対称軸線として対称に裏面１０ｂ側にも発光素子１２’および９０’、受光素子９４’が配されている。発光素子９０’と受光素子９４’とは、互いに離隔した位置に配されている。なお、発光素子１２’および９０’、受光素子９４’は、発光素子１２および９０と、受光素子９４と同様な構造とされる。
【０１３５】
図２０は、本発明に係る被記録媒体の種類の判別装置の一例に用いられる検出部の第１２実施例を示す。
【０１３６】
図２０に示される例は、図１８に示される例において被記録媒体１０の表裏の状態が略同時に検出される構成となるようにした上述の図１８に示される例の変形例である。被記録媒体１０を対称軸線として対称に裏面１０ｂ側にも発光素子１２’および９０’、受光素子９４’が配されている。発光素子９０’と受光素子９４’とは、互いに隣接した位置に配されている。なお、発光素子１２’および９０’、受光素子９４’は、発光素子１２および９０と、受光素子９４と同様な構造とされる。
【０１３７】
図２１は、本発明に係る被記録媒体の種類の判別装置の一例に用いられる検出部の第１３実施例を示す。
【０１３８】
図２１に示される例は、図１７に示される例において被記録媒体１０の透過性の検出が不要とされるとき、その受光素子１８を用いない例とされる。
【０１３９】
従って、多種多様な被記録媒体を判別するのではなく、限られた数種の被記録媒体のみを判別するような場合において、例えば、ＯＨＰシートのような透過性のある被記録媒体の判別が不要な場合、透過性を検出する受光素子を除外したような構成とすることも可能である。
【０１４０】
図２２は、本発明に係る被記録媒体の種類の判別装置の一例に用いられる検出部の第１４実施例を示す。
【０１４１】
図２２に示される例は、図２に示される例において被記録媒体１０の透過性の検出が不要とされるとき、その受光素子１８を用いない例とされる。
【０１４２】
図２３および２４は、本発明に係る被記録媒体の種類の判別装置の第３実施例の構成を、それを備える画像形成装置としてのインクジェット記録装置の制御ブロックとともに示す。なお、図２３において、図１に示される例において同一とされる構成要素について同一の符号を付し、その重複説明を省略する。
【０１４３】
装置に選択的に装備される各被記録媒体の種類と後述する各判定出力との対応関係は、例えば、上述の図３に示される例と同様に、後述する比較出力部からの被記録媒体の光沢性の有無等をあらわす各比較出力と、それに該当する普通紙、コート紙、光沢紙、光沢フィルム、ＯＨＰシート、被記録媒体の有無などの分類であらわされる。従って、本発明の一例においては、５種類の被記録媒体が分類Ａ，Ｂ，Ｃ，Ｄ，Ｅとして判定され、かつ、分類Ｆとしての被記録媒体の有無が判定される。
【０１４４】
図２３および図２４に示される例においては、図１に示される例における受光素子１４と被記録媒体１０の記録面１０ａとの間に、加えて、波長分散素子としての光学フィルタ１００がその中間位置に設けられたものとされる。光学フィルタ１００は、例えば、ＳＣ４２（富士写真フィルム社製）とされる。
【０１４５】
本実施例および後述する実施例において、光学フィルタおよび後述する光学部品を用いているのは、本発明に係る実施例の特徴である蛍光発光強度を精度良く検出すること、または、蛍光増白剤の吸収波長域を発光する発光素子の発光波長域のみを精度良く検出することにある。
【０１４６】
これらの光学素子が用いられない場合、被記録媒体１０の記録面１０ａからの反射光または透過光には、発光素子１２の発光波長成分と，蛍光増白剤の放射波長成分（蛍光成分）とが含まれるのでそれらを精度よく分離することはできない。
【０１４７】
この場合、被記録媒体１０の表裏相互間における蛍光発光強度差は、発光素子１２の発光波長成分と重畳されて受光素子１４が受光することになるのでその検出される強度差は小さくなる。
【０１４８】
しかし、受光素子１４において、蛍光強度の受光に関し、Ｓ／Ｎ比を高くするには、発光素子の発光波長成分と蛍光増白剤の蛍光発光波長成分を分けることにより実現可能である。
【０１４９】
そこで、精度よく分散する手段としは、波長分散素子、例えば、光学フィルタであり、光学ミラーである。波長分散素子は、プリズムや回折格子が代表的なものであり好適に使用することができる。
【０１５０】
また、光学フィルタは、染料や顔料の色素からなるフィルタや薄膜の干渉を利用した干渉フィルタなどを好適に使用することができる。
【０１５１】
なお、例えば、蛍光増白剤の吸収波長域を発光する発光素子の発光波長域（紫外線帯域）をカットする光学フィルタとして、ＳＣ３９、ＳＣ４０Ｍ（富士写真フィルム製）などのシャープ・カット・フィルタが好適であり、また、蛍光発光波長域のみを透過させるための光学フィルタとして、ＢＰＢ４５（富士写真フィルム製）、ＢＰ−ＵＶ型、ＢＰ−Ｗ１型、ＢＰ−Ｗ２型（ケンコー製）などのバンド・パス・フィルタが好適である。また光学ミラーも光学フィルタと同様である。
【０１５２】
このような構成において、比較出力部４０は、被記録媒体１０の判別にあたり、例えば、図２４に示されるように、判別される各被記録媒体１０の表面１０ａおよび裏面１０ｂについて発光素子１２からの光ビームが照射される場合、それぞれ、各受光素子１４、１６、および１８の出力部から出力電圧（Ｖ）が図２５に示されるように、得られるとき、先ず、比較部４０Ｃは、受光素子１８に対応する信号処理部３４からのデータに基づき閾値５（Ｖ）と比較し、５（Ｖ）以上である８.２（Ｖ）の出力が得られるとき、透過性があることをあらわす比較出力を送出する。一方、比較部４０Ｃは、５（Ｖ）未満である０．６〜０．８（Ｖ）の出力であるとき、透過性がないことをあらわす比較出力を送出する。
【０１５３】
次に、比較部４０Ｂは、受光素子１６に対応する信号処理部３４からのデータに基づき閾値５（Ｖ）と比較し、５（Ｖ）以上である６．５〜７．０（Ｖ）の出力が得られるとき、光沢性があることをあらわす比較出力を送出する。一方、比較部４０Ｂは、５（Ｖ）未満である３．７〜４．０（Ｖ）の出力であるとき、光沢性がないことをあらわす比較出力を送出する。
【０１５４】
続いて、比較部４０Ａは、演算部４０Ｅからのデータ相互間の出力電圧差に基づき閾値±２（Ｖ）と比較し、±２（Ｖ）以上である３．６〜４．１（Ｖ）の出力が得られるとき、表裏相互間において蛍光強度差があることをあらわす比較出力を送出する。一方、比較部４０Ａは、±２（Ｖ）未満である±０.１（Ｖ）の出力であるとき、表裏相互間において蛍光強度差がないことをあらわす比較出力を送出する。データ選択送出部４０Sは、メイン制御部からのデータ要求信号に基づきこれらの比較出力を送出する。
【０１５５】
従って、５種類の被記録媒体の判別をするにあたり、メイン制御部３８は、データ選択送出部４０Sからの各比較出力に基づいて図３に示されるような、データを参照し、例えば、透過性があることをあらわす比較出力、光沢性があることをあらわす比較出力、および、蛍光強度差がないことをあらわす比較出力であるとき、被記録媒体１０がＯＨＰシートである（分類Ｅ）と判断することとなる。
【０１５６】
また、メイン制御部３８は、例えば、透過性があることをあらわす比較出力、光沢性がないことをあらわす比較出力、および、蛍光強度差がないことをあらわす比較出力であるとき、被記録媒体１０が装填されていない状態である（分類Ｆ）と判断する。
【０１５７】
続いて、ＯＨＰシートが分別された後、メイン制御部３８は、他の被記録媒体１０について、例えば、透過性がないことをあらわす比較出力、光沢性があることをあらわす比較出力、および、蛍光強度差がないことをあらわす比較出力であるとき、被記録媒体１０が光沢フィルムである（分類Ｅ）と判断することとなる。
【０１５８】
続いて、ＯＨＰシートおよび光沢フィルムが分別された後、メイン制御部３８は、他の被記録媒体１０について、例えば、透過性がないことをあらわす比較出力、光沢性があることをあらわす比較出力、および、蛍光強度差があることをあらわす比較出力であるとき、被記録媒体１０が光沢紙である（分類Ｃ）と判断することとなる。
【０１５９】
続いて、ＯＨＰシート、光沢フィルムおよび光沢紙が分別された後、メイン制御部３８は、他の被記録媒体１０について、例えば、透過性がないことをあらわす比較出力、光沢性がないことをあらわす比較出力、および、蛍光強度差があることをあらわす比較出力であるとき、被記録媒体１０がコート紙である（分類Ｂ）と判断することとなる。その際、メイン制御部３８は、残りの被記録媒体１０が普通紙（分類Ａ）であると判断することとなる。
【０１６０】
従って、少なくとも比較部４０Ｃおよび比較部４０Ｂからの比較出力により、ＯＨＰシートとそれ以外の被記録媒体または被記録媒体の存在しないことを判別することができる。
【０１６１】
次に、残りの４品種について、比較部４０Ｃおよび比較部４０Ｂの比較出力により、光沢紙および光沢フィルムの群と、普通紙およびコート紙の群とに分別することができる。
【０１６２】
そして、比較部４０Ｃ、比較部４０Ｂ、および、比較部４０Ａの比較出力により、さらに、普通紙および光沢フィルムの群、コート紙および光沢紙の群に分別することができる。
【０１６３】
これにより、ＯＨＰシートを除く後者２つの分類結果により、普通紙（ＰＢ：キヤノン社製）、コート紙（ＨＲ１０１：キヤノン社製）、光沢紙（ＧＰ３０１：キヤノン社製）、光沢フィルム（ＨＧ１０１：キヤノン社製）を判別することができ、結果として、普通紙、コート紙、光沢紙、光沢フィルム、ＯＨＰシートの５品種の判別ができる。
【０１６４】
図２６および２７は、本発明に係る被記録媒体の種類の判別装置の第４実施例の構成を、それを備える画像形成装置としてのインクジェット記録装置の制御ブロックとともに示す。なお、図２６においては、図６に示される例において同一とされる構成要素については同一の符号を付して示し、その重複説明を省略する。
【０１６５】
図２６および図２７においては、図６に示される例における受光素子６４と記録面１０ａとの間の中間位置に、また、受光素子６６と裏面１０ｂとの間の中間位置に、それぞれ、上述の光学フィルタ１００が加えて配されている。
【０１６６】
このような構成において、比較出力部７８は、被記録媒体１０の判別にあたり、例えば、判別される各被記録媒体１０の表面１０ａおよび裏面１０ｂについて発光素子駆動部７４からの駆動信号Ｃｄ１に基づいて発光素子６０からの光ビームのみが照射される場合、それぞれ、図２８に示されるように、各受光素子６４、および６６の出力部から出力電圧（Ｖ）が得られるとき、先ず、比較部７８Ｃは、受光素子６６に対応する信号処理部７６からのデータに基づき閾値５（Ｖ）と比較し、出力電圧が５（Ｖ）以上である８.５（Ｖ）の出力が得られるとき、透過性があることをあらわす比較出力を送出する。一方、比較部７８Ｃは、いずれかの出力が５（Ｖ）未満である０.５〜０.８（Ｖ）の出力であるとき、透過性がないことをあらわす比較出力を送出する。
【０１６７】
次に、比較部７８Ｂは、受光素子６４に対応する信号処理部７６からのデータに基づき閾値５（Ｖ）と比較し、５（Ｖ）以上である６.６〜７.１（Ｖ）の出力が得られるとき、光沢性があることをあらわす比較出力を送出する。一方、比較部７８Ｂは、５（Ｖ）未満である３.５〜３.９（Ｖ）の出力であるとき、光沢性がないことをあらわす比較出力を送出する。
【０１６８】
続いて、駆動信号Ｃｄ１に代えて、発光素子駆動部７４からの駆動信号Ｃｄ２に基づいて発光素子６２からの光ビーム６２Ｌのみが照射された後、駆動信号Ｃｄ２に代えて、駆動信号Ｃｄ３に基づいて発光素子６８からの光ビーム６８Ｌのみが照射される。これにより、受光素子６４および６６は、それぞれ、発光素子６２からの光ビーム６２Ｌ、発光素子６８からの光ビーム６８Ｌを受光することとなる。信号処理部７６は、光ビーム６２Ｌおよび光ビーム６８Ｌに基づいて変換処理を行い、それらを演算部７８Ｅに供給する。
【０１６９】
その際、比較部７８Ａは、演算部７８Ｅからのデータ相互間の出力電圧差に基づき閾値±２（Ｖ）と比較し、±２（Ｖ）以上である３.３〜３.９（Ｖ）の出力が得られるとき、その表裏相互間において蛍光強度差があることをあらわす比較出力を送出する。一方、比較部７８Ａは、±０.５（Ｖ）未満である±０〜０.２（Ｖ）の出力であるとき、表裏相互間において蛍光強度差がないことをあらわす比較出力を送出する。データ選択送出部７８Ｅは、メイン制御部７０からのデータ要求信号に基づき得られた比較出力をメイン制御部７０に供給する。
【０１７０】
従って、５種類の被記録媒体を判別するにあたり、メイン制御部７０は、データ選択送出部７８Ｅからの各比較出力に基づいて図３に示されるような、データを参照し、例えば、透過性があることをあらわす比較出力、光沢性があることをあらわす比較出力、および、蛍光強度差がないことをあらわす比較出力であるとき、被記録媒体１０がＯＨＰシートである（分類Ｅ）と判断することとなる。
【０１７１】
また、メイン制御部７０は、例えば、透過性があることをあらわす比較出力、光沢性がないことをあらわす比較出力、および、蛍光強度差がないことをあらわす比較出力であるとき、被記録媒体１０が装填されていない状態である（分類Ｆ）と判断する。
【０１７２】
続いて、ＯＨＰシートが分別された後、メイン制御部７０は、他の被記録媒体１０について、例えば、透過性がないことをあらわす比較出力、光沢性があることをあらわす比較出力、および、蛍光強度差がないことをあらわす比較出力であるとき、被記録媒体１０が光沢フィルムである（分類Ｅ）と判断することとなる。
【０１７３】
続いて、ＯＨＰシートおよび光沢フィルムが分別された後、メイン制御部７０は、他の被記録媒体１０について、例えば、透過性がないことをあらわす比較出力、光沢性があることをあらわす比較出力、および、蛍光強度差があることをあらわす比較出力であるとき、被記録媒体１０が光沢紙である（分類Ｃ）と判断することとなる。
【０１７４】
続いて、ＯＨＰシート、光沢フィルムおよび光沢紙が分別された後、メイン制御部７０は、他の被記録媒体１０について、例えば、透過性がないことをあらわす比較出力、光沢性がないことをあらわす比較出力、および、蛍光強度差があることをあらわす比較出力であるとき、被記録媒体１０がコート紙である（分類Ｂ）と判断することとなる。その際、メイン制御部７０は、残りの被記録媒体１０が普通紙（分類Ａ）であると判断することとなる。
【０１７５】
従って、先ず、比較部７８Ｃにより、透過性を判別することにより、ＯＨＰシートとそれ以外の被記録媒体とが分別されることとなる。また、その光沢性を判別する比較部７８Ｂにより、光沢紙および光沢フィルムの群、普通紙およびコート紙の群に分別される。次に、比較部７８Ａにより、普通紙および光沢フィルムの群、コート紙および光沢紙の群とに分別される。
【０１７６】
ＯＨＰシートを除く後者２つの分類結果により、普通紙、コート紙、光沢紙、光沢フィルムを判別することができ、結果として、上述の例と同様に、普通紙、コート紙、光沢紙、光沢フィルム、ＯＨＰシートの５品種の判別ができることとなる。
【０１７７】
さらに、メイン制御部７０は、比較出力部７８からの比較出力に基づく判定結果とホストコンピュータ８４からの選択的に入力された被記録媒体の種類とが一致しない場合、記録動作制御部４４に印刷中止をあらわす制御信号を送出し、また、表示部８２に、例えば、印刷中止の警告を表示させるべく制御信号を表示制御部８０に供給する。これにより、図２９に示されるように、比較出力部７８からの比較出力に基づく判定結果と、ホストコンピュータ８４からの選択的に入力された被記録媒体の種類のデータとが一致しないすべての場合において、表示部８２により警告表示が行われることとなる。
【０１７８】
従って、比較出力部７８により、実際に装着されている被記録媒体の種類が適切に判別され、ユーザーが選択した被記録媒体と異なる被記録媒体が誤って装着されるもとで適さない画像形成モードによる印刷が行われないように警告表示されることとなる。
【０１７９】
その結果、１台のインクジェット記録装置がデータバスラインを介して複数のホストコンピュータを介して共用化されている場合等において、印刷開始前に印刷中止の表示に応じて不具合をユーザに情報として伝達できるので有効な警告表示システムが可能となる。
【０１８０】
そして、メイン制御部７０は、比較出力部７８からの比較出力に基づく判定結果をあらわすデータを通信部８６を介してホストコンピュータ８４に供給する。
【０１８１】
ホストコンピュータ８４は、被記録媒体の種類が選択的に入力されていない場合、その画像モード選択部８４Ｇは、比較出力部７８からの比較出力に基づく判定結果をあらわすデータに基づいて各被記録媒体の種類に合致した記録ヘッド部４６の所定の印刷モードを複数の印刷モードから選択する。従って、例えば、スタンドアローンとされるホストコンピュータによる制御が行われるインクジェット記録装置において、適切な画像形成モードを自動的に選択するシステムが可能となる。
【０１８２】
なお、本願の発明者の実験による検証によれば、普通紙、コート紙、光沢紙、光沢フィルム、ＯＨＰフィルムを給紙してサンプル画像を印刷する命令を実施したところ、いずれの被記録媒体においても適切な画像形成が行えていることが確認された。
【０１８３】
以上から明らかなように、判別装置の実施例２と実施例３とは、光学フィルタ１００があるかないかの差であるが、実施例３は、この光学フィルタ１００を有することにより、発光素子1２の発光波長域と被記録媒体10からの蛍光発光波長域と分離することができる。
その結果、蛍光強度を精度良く検出できるので被記録媒体１０の表裏相互間の蛍光強度差のような微妙な光学的情報が精度良く検出することが可能となる。
【０１８４】
図３０〜図４６は、それぞれ、本発明に係る被記録媒体の種類の判別装置の一例に用いられる検出部の他の例を示す。なお、図３０に示される例および後述する例においては、上述の図１１乃至図２２、図２４に示される例において同一とされる構成要素について同一の符号を付して示し、その重複説明を省略する。
【０１８５】
図３０は、本発明に係る被記録媒体の種類の判別装置の一例に用いられる検出部の第１５実施例を示す。なお、図３０に示される例および後述する例においても、各受光素子は、上述の例と同様な出力部に電気的に接続されている。
【０１８６】
上述したように、蛍光発光の測定に寄与しない光沢性と非光沢性、および／または透過性と非透過性の判別において使用される発光素子は、蛍光増白剤の吸収波長域以外である可視波長域や赤外波長域の光ビームを被記録媒体１０に対し照射する発光素子９０を図３０に示されるように配置し用いることも可能である。
【０１８７】
図３０に示される例においては、発光素子９０が、照射する光ビームの入射点が発光素子１２からの光ビームの入射点と一致しない離隔した位置であって記録面１０ａに対し垂直線上（被記録媒体１０の法線上）となるように配置されている。また、発光素子９０に隣接して受光素子１６が記録面１０ａ側に設けられている。受光素子１４と記録面１０ａとの間の中間に光学フィルタ１００が設けられている。さらに、受光素子１８が被記録媒体１０を挟んで発光素子９０に対向して配されている。この場合、光沢性を判別するにあたり、発光素子による正反射成分や透過光が精度よく測定される。
【０１８８】
図３１は、本発明に係る被記録媒体の種類の判別装置の一例に用いられる検出部の第１６実施例を示す。
【０１８９】
図３１に示される例においては、図３０の例とは異なり、発光素子９０と受光素子１６とが互いに離隔した位置に設けられる。また、受光素子１８が発光素子１２からの光ビームが被記録媒体１０を介して検出可能に配置されている。
【０１９０】
図３２は、本発明に係る被記録媒体の種類の判別装置の一例に用いられる検出部の第１７実施例を示す。
【０１９１】
図３２に示される例は、図３１と図３２の変形例である。
【０１９２】
図３３は、本発明に係る被記録媒体の種類の判別装置の一例に用いられる検出部の第１８実施例を示す。
【０１９３】
図３３に示される例においては、図１４に示される例に光学フィルタ１００を設けた構成となっている。
【０１９４】
図３４は、本発明に係る被記録媒体の種類の判別装置の一例に用いられる検出部の第１９実施例を示す。
【０１９５】
図３４に示される例は、図１５に示される例に光学フィルタ１００を設けた構成となっている。
【０１９６】
図３５は、本発明に係る被記録媒体の種類の判別装置の一例に用いられる検出部の第２０実施例を示す。
【０１９７】
図３５に示される例も、図１６に示される例に光学フィルタ１００を設けた構成となっている。
【０１９８】
図３６は、本発明に係る被記録媒体の種類の判別装置の一例に用いられる検出部の第２１実施例を示す。
【０１９９】
図３６に示される例は、図１７に示される例に光学フィルタ１００を設けた構成となっている。
【０２００】
図３７は、本発明に係る被記録媒体の種類の判別装置の一例に用いられる検出部の第２２実施例を示す。
【０２０１】
図３７に示される例は、図１８に示される例に光学フィルタ１００を設けた構成となっている。
【０２０２】
図３８は、本発明に係る被記録媒体の種類の判別装置の一例に用いられる検出部の第２３実施例を示す。
【０２０３】
図３８に示される例は、図１９に示される例に光学フィルタ１００を設けた構成となっている。
【０２０４】
図３９は、本発明に係る被記録媒体の種類の判別装置の一例に用いられる検出部の第２４実施例を示す。
【０２０５】
図３９に示される例は、図２０に示される例に光学フィルタ１００を設けた構成となっている。
【０２０６】
図４０は、本発明に係る被記録媒体の種類の判別装置の一例に用いられる検出部の第２５実施例を示す。
【０２０７】
図４０に示される例は、図２１に示される例に光学フィルタ１００を設けた構成となっている。
【０２０８】
図４１は、本発明に係る被記録媒体の種類の判別装置の一例に用いられる検出部の第２６実施例を示す。
【０２０９】
図４１に示される例は、図２２に示される例に光学フィルタ１００を設けた構成となっている。
【０２１０】
図４２は、本発明に係る被記録媒体の種類の判別装置の一例に用いられる検出部の第２７実施例を示す。
【０２１１】
図４２においては、光学フィルタ１００の代わりに、光学フィルタ１０４が受光素子１０８と記録面１０ａとの間、受光素子１１０と記録面１０ａとの間にそれぞれ、配されている。光学フィルタ１０４は、発光素子１２の発光波長域（紫外線帯域）を透過して蛍光波長帯域を吸収する光学フィルタである。
【０２１２】
この場合、受光素子１０８、１１０は、それぞれ、蛍光増白剤の蛍光発光を受光するのではなく、発光素子１２の散乱反射光を受光することになる。発光素子１２による被記録媒体１０の散乱反射光のみを受光することにより、図２４に示される例と同様な効果を得られる。
【０２１３】
図４３は、本発明に係る被記録媒体の種類の判別装置の一例に用いられる検出部の第２８実施例を示す。
【０２１４】
図４３においては、光学フィルタ１００の代わりに、光学素子（波長分離素子）としてのプリズム１１２が受光素子１４と記録面１０ａとの間に配されている。また、受光素子１４に隣接して受光素子１１４が設けられている。受光素子１１４は、発光素子１２の発光波長帯域（紫外線帯域）について分光感度特性をもつ受光素子とされる。受光素子１４は、蛍光増白剤の放射波長域に分光感度特性をもつ受光素子とされ、被記録媒体１０に含有されている発光素子１２の乱反射光強度を検出する機能を有している。
【０２１５】
図４４は、本発明に係る被記録媒体の種類の判別装置の一例に用いられる検出部の第２９実施例を示す。
【０２１６】
図４４においては、発光素子１２からの照射された光ビームの正反射光を検出可能な位置にプリズム１１２および受光素子１４および１１６が配置されたものとされる。
【０２１７】
受光素子１１６は、プリズム１１２により分離された発光素子１２からの光ビームの発光波長域成分（正反射成分）のみを受光するものとされ、受光素子１４は、発光素子の正反射位置にあるものの、正反射成分ではない蛍光発光成分のみを受光することとなる。
【０２１８】
図４５は、本発明に係る被記録媒体の種類の判別装置の一例に用いられる検出部の第３０実施例を示す。
【０２１９】
図４５においては、受光素子１２０が発光素子１２からの光ビームの正反射光ビームを検出可能な位置に設けられている。受光素子１２０は、発光素子１２からの光ビームの可視帯域から紫外線帯域までの成分を検出可能とされる。受光素子１２０と記録面１０ａとの間の中間位置には、移動可能に配された光学フィルタ１００が配されている。
【０２２０】
これにより、光学フィルタ１００は、受光素子１２０が反射光ビームの蛍光成分を検出する場合、受光素子１２０と記録面１０ａとの間の中間位置に配される。
【０２２１】
図４６は、本発明に係る被記録媒体の種類の判別装置の一例に用いられる検出部の第３１実施例を示す。
【０２２２】
図４６においては、図４５に示される例において光学フィルタ１００に加えて、光学フィルタ１２２が光学フィルタ１００が交互に受光素子１２０と記録面１０ａとの間の中間位置に配されるように、移動可能に配置されている。
【０２２３】
光学フィルタ１２２は、受光素子１２０が反射光ビームの波長帯域（３６０〜３７０ｎｍ）成分のみを検出する場合、受光素子１２０に代えて、選択的に受光素子１２０と記録面１０ａとの間の中間位置に配される。
【０２２４】
従って、ひとつの受光素子により、蛍光増白剤の蛍光発光波長域のみの受光、または、発光素子の発光波長域の正反射光のみの受光が可能となる。
【０２２５】
以上に示めされる例は、一例にすぎず、本発明による基本的な概念を超えなければいずれの構成であってもよい。
【０２２６】
【発明の効果】
以上の説明から明らかなように、本発明に係る被記録媒体の種類の判別装置、および画像形成装置によれば、被記録媒体の一方の表面に対向して配され被記録媒体に含まれる蛍光増白剤が吸収する波長帯域の光成分を含む光ビームを照射する第１の発光素子と、蛍光増白剤が吸収する波長帯域以外の光成分を含む光ビームを照射する第２の発光素子と、被記録媒体の他方の表面に対向して配され蛍光増白剤が吸収する波長帯域の光成分を含む光ビームを照射する第３の発光素子と、被記録媒体の一方の表面に対向して配され第１の発光素子または第２の発光素子から照射され被記録媒体の一方の表面に対し反射された光ビームを検出する第１の受光素子と、被記録媒体の他方の表面に対向して配され第１の発光素子から照射され被記録媒体を透過した光ビームまたは第３の発光素子から照射され被記録媒体の他方の表面に対し反射された光ビームを検出する第２の受光素子とを備える検出部と、検出部からの被記録媒体の透過性をあらわす検出出力の値と被記録媒体の種類に応じた所定の判別用閾値とを比較し比較出力を送出する第１の比較部と、検出部からの被記録媒体の光沢性をあらわす検出出力の値と被記録媒体の種類に応じた所定の判別用閾値とを比較し比較出力を送出する第２の比較部と、検出部からの被記録媒体の表面の蛍光強度特性をあらわす検出出力の値と被記録媒体の種類に応じた所定の判別用閾値とを比較し比較出力を送出する第３の比較部と、第１の比較部、第２の比較部、および第３の比較部からのそれぞれの比較出力に基づいて被記録媒体の種類を判別し判別出力を送出する判別部と、を備えるので普通紙、コート紙、光沢紙、光沢フィルム、ＯＨＰシートなどの多種多様な被記録媒体を適切かつ精度よく自動判別できる。
【図面の簡単な説明】
【図１】本発明に係る被記録媒体の種類の判別装置の第１実施例の全体構成を、それを備える記録装置の制御部とともに示すブロック図である。
【図２】本発明に係る被記録媒体の種類の判別装置の第１実施例における検出部の構成を概略的に示す図である。
【図３】本発明に係る被記録媒体の種類の判別装置の一例が判定を行う被記録媒体の種類および判別因子を示すテーブルである。
【図４】本発明に係る被記録媒体の種類の判別装置の第１実施例における受光素子の検出出力値と各被記録媒体との関係を示すテーブルである。
【図５】本発明に係る被記録媒体の種類の判別装置の第１実施例において、判別装置がマイクロコンピュータにより構成された場合、かかるマイクロコンピュータが実行するプログラムの一例を示すフローチャートである。
【図６】本発明に係る被記録媒体の種類の判別装置の第２実施例の全体構成を、それを備える記録装置の制御部とともに示すブロック図である。
【図７】本発明に係る被記録媒体の種類の判別装置の第２実施例における検出部の構成を概略的に示す図である。
【図８】本発明に係る被記録媒体の種類の判別装置の第２実施例における受光素子の検出出力値と各被記録媒体との関係を示すテーブルである。
【図９】本発明に係る被記録媒体の種類の判別装置の第２実施例における受光素子の検出出力値に基づく警告の有無の結果を示すテーブルである。
【図１０】比較例における受光素子の検出出力値と各被記録媒体との関係を示すテーブルである。
【図１１】本発明に係る被記録媒体の種類の判別装置に用いられる検出部の第３実施例の構成を被記録媒体とともに示す図である。
【図１２】本発明に係る被記録媒体の種類の判別装置に用いられる検出部の第４実施例の構成を被記録媒体とともに示す図である。
【図１３】本発明に係る被記録媒体の種類の判別装置に用いられる検出部の第５実施例の構成を被記録媒体とともに示す図である。
【図１４】本発明に係る被記録媒体の種類の判別装置に用いられる検出部の第６実施例の構成を被記録媒体とともに示す図である。
【図１５】本発明に係る被記録媒体の種類の判別装置に用いられる検出部の第７実施例の構成を被記録媒体とともに示す図である。
【図１６】本発明に係る被記録媒体の種類の判別装置に用いられる検出部の第８実施例の構成を被記録媒体とともに示す図である。
【図１７】本発明に係る被記録媒体の種類の判別装置に用いられる検出部の第９実施例の構成を被記録媒体とともに示す図である。
【図１８】本発明に係る被記録媒体の種類の判別装置に用いられる検出部の第１０実施例の構成を被記録媒体とともに示す図である。
【図１９】本発明に係る被記録媒体の種類の判別装置に用いられる検出部の第１１実施例の構成を被記録媒体とともに示す図である。
【図２０】本発明に係る被記録媒体の種類の判別装置に用いられる検出部の第１２実施例の構成を被記録媒体とともに示す図である。
【図２１】本発明に係る被記録媒体の種類の判別装置に用いられる検出部の第１３実施例の構成を被記録媒体とともに示す図である。
【図２２】本発明に係る被記録媒体の種類の判別装置に用いられる検出部の第１４実施例の構成を被記録媒体とともに示す図である。
【図２３】本発明に係る被記録媒体の種類の判別装置の第３実施例の全体構成を、それを備える記録装置の制御部とともに示すブロック図である。
【図２４】本発明に係る被記録媒体の種類の判別装置の第３実施例における検出部の構成を概略的に示す図である。
【図２５】本発明に係る被記録媒体の種類の判別装置の第３実施例における受光素子の検出出力値と各被記録媒体との関係を示すテーブルである。
【図２６】本発明に係る被記録媒体の種類の判別装置の第４実施例の全体構成を、それを備える記録装置の制御部とともに示すブロック図である。
【図２７】本発明に係る被記録媒体の種類の判別装置の第４実施例における検出部の構成を概略的に示す図である。
【図２８】本発明に係る被記録媒体の種類の判別装置の第４実施例における受光素子の検出出力値と各被記録媒体との関係を示すテーブルである。
【図２９】本発明に係る被記録媒体の種類の判別装置の第４実施例における受光素子の検出出力値に基づく警告の有無の結果を示すテーブルである。
【図３０】本発明に係る被記録媒体の種類の判別装置に用いられる検出部の第１５実施例の構成を被記録媒体とともに示す図である。
【図３１】本発明に係る被記録媒体の種類の判別装置に用いられる検出部の第１６実施例の構成を被記録媒体とともに示す図である。
【図３２】本発明に係る被記録媒体の種類の判別装置に用いられる検出部の第１７実施例の構成を被記録媒体とともに示す図である。
【図３３】本発明に係る被記録媒体の種類の判別装置に用いられる検出部の第１８実施例の構成を被記録媒体とともに示す図である。
【図３４】本発明に係る被記録媒体の種類の判別装置に用いられる検出部の第１９実施例の構成を被記録媒体とともに示す図である。
【図３５】本発明に係る被記録媒体の種類の判別装置に用いられる検出部の第２０実施例の構成を被記録媒体とともに示す図である。
【図３６】本発明に係る被記録媒体の種類の判別装置に用いられる検出部の第２１実施例の構成を被記録媒体とともに示す図である。
【図３７】本発明に係る被記録媒体の種類の判別装置に用いられる検出部の第２２実施例の構成を被記録媒体とともに示す図である。
【図３８】本発明に係る被記録媒体の種類の判別装置に用いられる検出部の第２３実施例の構成を被記録媒体とともに示す図である。
【図３９】本発明に係る被記録媒体の種類の判別装置に用いられる検出部の第２４実施例の構成を被記録媒体とともに示す図である。
【図４０】本発明に係る被記録媒体の種類の判別装置に用いられる検出部の第２５実施例の構成を被記録媒体とともに示す図である。
【図４１】本発明に係る被記録媒体の種類の判別装置に用いられる検出部の第２６実施例の構成を被記録媒体とともに示す図である。
【図４２】本発明に係る被記録媒体の種類の判別装置に用いられる検出部の第２７実施例の構成を被記録媒体とともに示す図である。
【図４３】本発明に係る被記録媒体の種類の判別装置に用いられる検出部の第２８実施例の構成を被記録媒体とともに示す図である。
【図４４】本発明に係る被記録媒体の種類の判別装置に用いられる検出部の第２９実施例の構成を被記録媒体とともに示す図である。
【図４５】本発明に係る被記録媒体の種類の判別装置に用いられる検出部の第３０実施例の構成を被記録媒体とともに示す図である。
【図４６】本発明に係る被記録媒体の種類の判別装置に用いられる検出部の第３１実施例の構成を被記録媒体とともに示す図である。
【符号の説明】
１０    被記録媒体
１２、６０、６２、６８、９０    発光素子
１４、１６、１８、６４、６６、９２、９４    受光素子
３８    メイン制御部
４０、７８    比較出力部
４４    記録動作制御部
４６    記録ヘッド部
５０、８４    ホストコンピュータ
【図１】
0004579403.tif 000002
【図２】
0004579403.tif 000003
【図３】
0004579403.tif 000004
【図４】
0004579403.tif 000005
【図５】
0004579403.tif 000006
【図６】
0004579403.tif 000007
【図７】
0004579403.tif 000008
【図８】
0004579403.tif 000009
【図９】
0004579403.tif 000010
【図１０】
0004579403.tif 000011
【図１１】
0004579403.tif 000012
【図１２】
0004579403.tif 000013
【図１３】
0004579403.tif 000014
【図１４】
0004579403.tif 000015
【図１５】
0004579403.tif 000016
【図１６】
0004579403.tif 000017
【図１７】
0004579403.tif 000018
【図１８】
0004579403.tif 000019
【図１９】
0004579403.tif 000020
【図２０】
0004579403.tif 000021
【図２１】
0004579403.tif 000022
【図２２】
0004579403.tif 000023
【図２３】
0004579403.tif 000024
【図２４】
0004579403.tif 000025
【図２５】
0004579403.tif 000026
【図２６】
0004579403.tif 000027
【図２７】
0004579403.tif 000028
【図２８】
0004579403.tif 000029
【図２９】
0004579403.tif 000030
【図３０】
0004579403.tif 000031
【図３１】
0004579403.tif 000032
【図３２】
0004579403.tif 000033
【図３３】
0004579403.tif 000034
【図３４】
0004579403.tif 000035
【図３５】
0004579403.tif 000036
【図３６】
0004579403.tif 000037
【図３７】
0004579403.tif 000038
【図３８】
0004579403.tif 000039
【図３９】
0004579403.tif 000040
【図４０】
0004579403.tif 000041
【図４１】
0004579403.tif 000042
【図４２】
0004579403.tif 000043
【図４３】
0004579403.tif 000044
【図４４】
0004579403.tif 000045
【図４５】
0004579403.tif 000046
【図４６】
0004579403.tif 000047